(57)【要約】【課題】  光レセプタクルを基板に容易かつ確実に固定することができる光レセプタクル固定用部材を提供すること。【解決手段】  光レセプタクルを保持する保持部１０１を備える。保持部１０１から実質的に一方向に延び、基板に形成された貫通穴に挿通される足１０６，１０７，１０８を備える。足１０６，１０７，１０８は、基板の裏側で貫通穴の内縁に接するように、上記一方向に対して斜めになった部分（図１の例では「くの字」状の部分）を有する。【選択図】図１
2005031566.tif 000002
【特許請求の範囲】
【請求項１】
光レセプタクルを基板に取り付けるための光レセプタクル固定用部材であって、
上記光レセプタクルを保持する保持部と、
上記保持部から実質的に一方向に延び、上記基板に形成された貫通穴に挿通される足とを備え、
上記足は、上記基板の裏側で上記貫通穴の内縁に接するように、上記一方向に対して斜めになった部分を有することを特徴とする光レセプタクル固定用部材。
【請求項２】
請求項１に記載の光レセプタクル固定用部材において、
上記足が弾性を示すことを特徴とする光レセプタクル固定用部材。
【請求項３】
請求項１に記載の光レセプタクル固定用部材において、
上記保持部および足が金属板で一体に形成されていることを特徴とする光レセプタクル固定用部材。
【請求項４】
請求項１に記載の光レセプタクル固定用部材において、
上記足をなす板材の先端部分がくの字状に折れ曲がっていることを特徴とする光レセプタクル固定用部材。
【請求項５】
請求項１に記載の光レセプタクル固定用部材において、
上記足をなす板材の先端部分にスリットが形成され、上記先端部分が上記スリットを介して広がっていることを特徴とする光レセプタクル固定用部材。
【請求項６】
請求項４に記載の光レセプタクル固定用部材において、
上記足をなす板材の先端部分にスリットが形成され、上記先端部分は上記スリットを介して互いに逆方向にくの字状に折れ曲がっていることを特徴とする光レセプタクル固定用部材。
【請求項７】
請求項１に記載の光レセプタクル固定用部材において、
上記保持部は上記光レセプタクルを保持するための角状の突起を含むことを特徴とする光レセプタクル固定用部材。
【請求項８】
請求項１に記載の光レセプタクル固定用部材を用いて光レセプタクルを基板に取り付けた光レセプタクル取付構造であって、
上記光レセプタクル固定用部材の保持部に光レセプタクルが保持され、
上記光レセプタクル固定用部材の足が基板に形成された貫通穴に挿通され、
上記足の上記斜めになった部分が上記基板の裏側で上記貫通穴の内縁に接していることを特徴とする光レセプタクル取付構造。
【請求項９】
請求項８に記載の光レセプタクル取付構造において、
上記足の上記斜めになった部分が上記基板の裏側で上記貫通穴の内縁に接するように、上記基板の厚さに応じて、上記貫通穴の内縁の位置が可変して設定されていることを特徴とする光レセプタクル取付構造。
【請求項１０】
請求項８に記載の光レセプタクル取付構造を備えたことを特徴とする電子機器。
【発明の詳細な説明】
【技術分野】
【０００１】
この発明は光レセプタクル固定用部材に関し、より詳しくは、光レセプタクルを基板に取り付けるための部材に関する。
【０００２】
ここで「光レセプタクル」とは、プラグ挿入孔を有するハウジング内に発光素子と受光素子の少なくとも一方（以下「光素子」という。）を備え、上記プラグ挿入孔に挿入された光ファイバケーブルの端部（プラグ）と上記光素子との間の光結合を行う部品を指す。
【０００３】
また、この発明は、上記光レセプタクル固定用部材を用いて光レセプタクルを基板に取り付けた光レセプタクル取付構造に関する。
【０００４】
また、この発明は、そのような光レセプタクル取付構造を備えた電子機器に関する。
【０００５】
ここで「電子機器」とは、デジタルＴＶ（テレビジョン）受信機、デジタルＢＳ（放送衛星）チューナ、ＣＳ（通信衛星）チューナ、ＤＶＤ（デジタル・バーサタイル・ディスク）プレーヤ、ＳＴＢ（セット・トップ・ボックス）、スーパーオーディオＣＤ（コンパクト・ディスク）プレーヤ、ＡＶ（オーディオ・ビデオ）アンプ、オーディオ、パーソナルコンピュータ、パーソナルコンピュータ周辺機器、携帯電話、ＰＤＡ（パーソナル・デジタル・アシスタンツ）等の情報通信機器や、パチンコ台、ゲーム機器等のアミューズメント機器、その他の光伝送を利用する機器を広く含む。
【背景技術】
【０００６】
一般に、この種の光レセプタクルは、ハウジング内の光素子からハウジング外へ突出するリードピン（接続端子）を有する。このリードピンは、プリント基板に予め形成された貫通孔に挿通され、半田付けされる。この半田付けの段階では、光レセプタクルがプリント基板に対して位置ずれしないように固定されている必要がある。
【０００７】
従来、取付治具を介してレセプタクル（コネクタ）をプリント基板にねじ留めして仮固定した後、上記リードピンをプリント基板に半田付けする方法が知られている（例えば、特許文献１（特開平１１−１６７９６６号公報）参照。）。しかしながら、この方法では、ねじ留め作業に手間がかかるという問題がある。
【０００８】
また、プリント基板に立設された取付ピンをレセプタクル（コネクタ）の取付部に形成された孔に圧入した後、取付ピンを加熱して取付部と取付ピンとを溶着させることにより固定する方法も知られている（例えば、特許文献２（特開２０００−５６１８６号公報）参照。）。この後、上記リードピンがプリント基板に半田付けされる。しかしながら、この方法では、溶着作業に手間がかかるという問題がある。
【特許文献１】特開平１１−１６７９６６号公報
【特許文献２】特開２０００−５６１８６号公報
【発明の開示】
【発明が解決しようとする課題】
【０００９】
そこで、この発明の課題は、光レセプタクルを基板に容易かつ確実に固定することができる光レセプタクル固定用部材を提供することにある。
【００１０】
しかも、使用する基板の厚さは同一とは限らないので、この発明では、厚さの異なる基板に対しても光レセプタクルを容易かつ確実に固定することができる光レセプタクル固定用部材を提供する。
【００１１】
また、この発明の課題は、そのような光レセプタクル固定用部材を用いて光レセプタクルを基板に取り付けた光レセプタクル取付構造を提供することにある。
【００１２】
また、この発明は、そのような光レセプタクル取付構造を備えた電子機器を提供することにある。
【課題を解決するための手段】
【００１３】
上記課題を解決するため、この発明の光レセプタクル固定用部材は、光レセプタクルを基板に取り付けるための光レセプタクル固定用部材であって、
上記光レセプタクルを保持する保持部と、
上記保持部から実質的に一方向に延び、上記基板に形成された貫通穴に挿通される足とを備え、
上記足は、上記基板の裏側で上記貫通穴の内縁に接するように、上記一方向に対して斜めになった部分を有することを特徴とする。
【００１４】
ここで、上記足が「実質的に一方向に延び」るとは、上記「斜めになった部分」も存在するが、全体として一方向に延びることを意味する。
【００１５】
また、「基板の裏側」とは、基板の両側（両面）のうち上記保持部が配置される側と反対の側を指す。
【００１６】
この発明の光レセプタクル固定用部材では、保持部が光レセプタクルを保持した状態で、上記保持部から実質的に一方向に延びる足が基板に形成された貫通穴に挿通される。すると、上記足の上記一方向に対して斜めになった部分が、上記基板の裏側で上記貫通穴の内縁に接する。これにより、ねじ留め作業や溶着作業等を行うことなくワンタッチで、光レセプタクルが基板に対して容易かつ確実に固定される。この結果、光レセプタクルのハウジングから突出するリードピン（接続端子）を基板に半田付けする際に、光レセプタクルが基板に対して位置ずれすることがない。したがって、光レセプタクルのハウジングから突出するリードピンが基板に対して容易に半田付けされる。したがって、上記基板を用いた電子機器の組立作業が容易になる。
【００１７】
また、上述のように、上記足の上記一方向に対して斜めになった部分が、上記基板の裏側で上記貫通穴の内縁に接するようになっている。この「斜めになった部分」は現実には１点ではなく有限の長さをもつ。したがって、基板の厚さが異なる場合であっても、上記基板の厚さに応じて上記貫通穴の内縁の位置を予め可変して設定しておくことで、上記足を上記貫通穴に挿通したとき、上記足の上記一方向に対して斜めになった部分（のうちの異なる点）が、上記基板の裏側で上記貫通穴の内縁に接するようにできる。したがって、基板の厚さが異なる場合であっても、光レセプタクルが基板に対して容易かつ確実に固定される。このことは、複数の製品について、同一の光レセプタクル固定用部材を用いて光レセプタクルを基板に取り付けできることを意味する。したがって、各種電子機器の組立作業を全体として簡素化でき、コストダウンにつながる。
【００１８】
上記足は複数設けられているのが望ましい。その場合、複数の箇所（足）で光レセプタクルを基板に係止できるので、光レセプタクルを基板に対してより強固に固定することができる。
【００１９】
一実施形態の光レセプタクル固定用部材は、上記足が弾性を示すことを特徴とする。
【００２０】
この一実施形態の光レセプタクル固定用部材では、上記足が弾性を示す。したがって、上記足が基板に形成された貫通穴に挿通される途中で、上記足がその弾性によって上記貫通穴の内縁から離れる向きに一時的に退避することができる。上記足が基板に形成された貫通穴に挿通された後は、上記足はその弾性によって復帰して、上記基板の裏側で上記貫通穴の内縁に接する状態になる。したがって、光レセプタクルを基板に取り付ける作業がさらに容易になる。
【００２１】
一実施形態の光レセプタクル固定用部材は、上記保持部および足が金属板で一体に形成されていることを特徴とする。
【００２２】
この一実施形態の光レセプタクル固定用部材は、上記保持部および足が金属板で一体に形成されているので、安価に作製される。
【００２３】
一実施形態の光レセプタクル固定用部材は、上記足をなす板材の先端部分がくの字状に折れ曲がっていることを特徴とする。
【００２４】
この一実施形態の光レセプタクル固定用部材では、上記足をなす板材の先端部分がくの字状に折れ曲がっているので、上記足が基板に形成された貫通穴に挿通される途中で、上記くの字の部分が上記貫通穴の内縁に当接して、上記足がその弾性によって上記貫通穴の内縁から離れる向きに容易に退避することができる。
【００２５】
一実施形態の光レセプタクル固定用部材は、上記足をなす板材の先端部分にスリットが形成され、上記先端部分が上記スリットを介して広がっていることを特徴とする。
【００２６】
この一実施形態の光レセプタクル固定用部材では、上記スリットを介して広がった先端部分が、上記「斜めになった部分」を構成して、上記基板の裏側で上記貫通穴の内縁に接することができる。
【００２７】
また、上記足をなす板材の先端部分にスリットが形成され、上記先端部分が上記スリットを介して上記くの字の折れ線が延びる方向へ広がっていても良い。
【００２８】
一実施形態の光レセプタクル固定用部材は、上記足をなす板材の先端部分にスリットが形成され、上記先端部分は上記スリットを介して互いに逆方向にくの字状に折れ曲がっていることを特徴とする。
【００２９】
この一実施形態の光レセプタクル固定用部材では、上記スリットを介して互いに逆方向にくの字状に折れ曲がった部分が、それぞれ上記「斜めになった部分」を構成して、上記基板の裏側で上記貫通穴の内縁に接することができる。つまり、互いに逆方向にくの字状に折れ曲がった部分が上記貫通穴の対向する二つの内縁にそれぞれ接することができる。したがって、光レセプタクルが基板に対して強固に固定される。
【００３０】
一実施形態の光レセプタクル固定用部材では、上記保持部は上記光レセプタクルを保持するための角状の突起を含むことを特徴とする。
【００３１】
この一実施形態の光レセプタクル固定用部材では、上記保持部は上記光レセプタクルを保持するための角状の突起を含むので、上記光レセプタクルによってしっかりと保持される。したがって、光レセプタクルが基板に対してより強固に固定される。
【００３２】
また、この発明の光レセプタクル取付構造は、上記光レセプタクル固定用部材を用いて光レセプタクルを基板に取り付けた光レセプタクル取付構造であって、
上記光レセプタクル固定用部材の保持部に光レセプタクルが保持され、
上記光レセプタクル固定用部材の足が基板に形成された貫通穴に挿通され、
上記足の上記斜めになった部分が上記基板の裏側で上記貫通穴の内縁に接していることを特徴とする。
【００３３】
この発明の光レセプタクル取付構造は、上記光レセプタクル固定用部材の保持部に光レセプタクルが保持された状態で、上記光レセプタクル固定用部材の足を基板に形成された貫通穴に挿通することによって、ねじ留め作業や溶着作業等を行うことなくワンタッチで構成される。つまり、ワンタッチで、上記足の上記一方向に対して斜めになった部分が、上記基板の裏側で上記貫通穴の内縁に接して、光レセプタクルが基板に対して容易かつ確実に固定された状態になる。この状態で、光レセプタクルのハウジングから突出するリードピン（接続端子）を基板に半田付けすれば、光レセプタクルが基板に対して位置ずれすることがない。したがって、光レセプタクルのハウジングから突出するリードピンが基板に対して容易に半田付けされる。したがって、上記基板を用いた電子機器の組立作業が容易になる。
【００３４】
一実施形態の光レセプタクル取付構造は、上記足の上記斜めになった部分が上記基板の裏側で上記貫通穴の内縁に接するように、上記基板の厚さに応じて、上記貫通穴の内縁の位置が可変して設定されていることを特徴とする。
【００３５】
上述のように、上記足の上記一方向に対して斜めになった部分が、上記基板の裏側で上記貫通穴の内縁に接するようになっている。この「斜めになった部分」は現実には１点ではなく有限の長さをもつ。したがって、基板の厚さが異なる場合であっても、この一実施形態の光レセプタクル取付構造のように、上記基板の厚さに応じて上記貫通穴の内縁の位置を予め可変して設定しておくことで、上記足を上記貫通穴に挿通したとき、上記足の上記一方向に対して斜めになった部分（のうちの異なる点）が、上記基板の裏側で上記貫通穴の内縁に接するようにできる。したがって、基板の厚さが異なる場合であっても、光レセプタクルが基板に対して容易かつ確実に固定される。このことは、複数の製品について、同一の光レセプタクル固定用部材を用いて光レセプタクルを基板に取り付けできることを意味する。したがって、各種電子機器の組立作業を全体として簡素化でき、コストダウンにつながる。
【００３６】
上記貫通穴の内縁の位置を可変して設定するためには、上記貫通穴の位置または大きさを可変して設定すれば良い。
【００３７】
また、この発明の電子機器は、上記光レセプタクル取付構造を備えたことを特徴とする。
【００３８】
この発明の電子機器は、上記光レセプタクル取付構造による作用効果を奏することができる。つまり、組立時に、光レセプタクルのハウジングから突出するリードピンが基板に対して容易に半田付けされる。したがって、この電子機器は容易に組み立てられる。
【発明を実施するための最良の形態】
【００３９】
以下、この発明を図示の実施の形態により詳細に説明する。
【００４０】
図１（ａ）は一実施形態の光レセプタクル固定用部材１００を正面から、つまり後述する光レセプタクルに光プラグ（光ファイバの端部）を挿入する側から見たところを示している。図１（ｂ）はその固定用部材１００を左側から見たところ、図１（ｃ）はその固定用部材１００を右側から見たところ、図１（ｄ）はその固定用部材１００を上側から見たところ、図１（ｅ）はその固定用部材１００を下側から見たところをそれぞれ示している。
【００４１】
この固定用部材１００は、上記光レセプタクルを保持するために、コの字状に折れ曲がった帯状の保持部１０１を備えている。保持部１０１のコの字状に折れ曲がった真ん中の空間１９０に光レセプタクルが入って保持される。
【００４２】
固定用部材１００の保持部１０１は、前方へ延びる２対４個の角状の突起１０２，１０３，１０４，１０５を含んでおり、これらの４個の突起１０２，１０３，１０４，１０５で光レセプタクルを強固に保持するようになっている。保持部１０１の下端に設けられた突起１０２，１０３の一部１０２ａ，１０３ａは突起方向と平行に内側に折れ曲がっているため、より強固に光レセプタクルを保持できるようになっている。また、突起１０２，１０３には、穴１０２ｂ，１０３ｂがあけられている。この穴１０２ｂ，１０３ｂは、光レセプタクルのハウジングから突出するリードピン（接続端子）をプリント基板（以下、単に「基板」という。）に半田付けする際に、半田の這い上がりを防止する働きをする。
【００４３】
この固定用部材１００には、コの字状の保持部１０１から下方へ、基板に設けられた貫通穴（例えば図２（ａ）中に示す基板１１１の貫通穴１１３，１１４など）に挿入される足１０６，１０７，１０８が３本延びている。足１０６，１０７，１０８の先端部分は、それぞれ外向きにくの字状に折れ曲がった構造をしている。すなわち、足１０６，１０７，１０８は、全体として下方に延びているが、それぞれが途中で斜めに外向きに折れ曲がり、再び反対方向に斜めに折れ曲がっている。
【００４４】
この固定用部材１００は全体が、つまり保持部１０１（角状の突起１０２，１０３，１０４，１０５を含む。）および足１０６，１０７，１０８が弾性を示す金属板で一体に形成されている。したがって、この固定用部材１００は安価に作製される。
【００４５】
図３は、固定用部材１００の保持部１０１に光レセプタクル２０２が保持された状態を示している。図３（ａ）は固定用部材１００および光レセプタクル２０２を正面から、つまり光レセプタクル２０２に光プラグ（光ファイバの端部）を挿入する側から見たところを示している。図３（ｂ）は同図（ａ）のものを左側から見たところ、図３（ｃ）は同図（ｂ）のものをさらに左側から見たところ、図３（ｄ）は同図（ｂ）のものを上側から見たところをそれぞれ示している。
【００４６】
光レセプタクル２０２は複数の部材で成り立っており、光レセプタクル２０２の本体を覆う部材２０３が表に見えているため、固定用部材１００の突起部分１０４，１０５は表には見えていない。また、固定用部材１００の残りの突起部分１０２，１０３も少し隠された状態にある。光レセプタクルを覆う部材２０３とこれらの４個の突起１０２，１０３，１０４，１０５との係合によって、光レセプタクル２０２は固定用部材１００の保持部１０１にしっかりと保持されている。
【００４７】
光レセプタクル２０２にはそのハウジングから突出するリードピン（接続端子）２０４が３本見えている。このリードピン２０４は、基板に半田付けされるようになっている。
【００４８】
また、光レセプタクル２０２は、図３（ａ）に示す前面（正面）に開閉式のシャッタ２０５を持っている。光レセプタクル２０２に光プラグ（光ファイバの端部）を挿入するときには、光プラグによってこのシャッタ２０５が押し開らかれる。
【００４９】
この例では、固定用部材１００の３本の足１０６，１０７，１０８が基板の貫通穴に挿入されると、図から見て明らかなように、光ファイバケーブルの端部は基板面に対して垂直に配置される（これを「ケーブル垂直タイプ」と呼ぶ。）。このケーブル垂直タイプの配置では、光レセプタクル２０２に光プラグ（光ファイバケーブルの端部）を挿入しやすいという利点がある。
【００５０】
さて、上述のように固定用部材１００の保持部１０１に光レセプタクル２０２が保持された状態で、固定用部材１００の３本の足１０６，１０７，１０８が基板に形成された貫通穴に挿通される。例えば図２（ａ）に示すように、固定用部材１００の足１０７，１０８が基板１１１の貫通穴１１３，１１４に挿通される（残りの足１０６も同様に図示しない貫通穴に挿通される。）。このとき、足１０６，１０７，１０８をなす板材の先端部分がくの字状に折れ曲がっているので、足１０６，１０７，１０８が基板に形成された貫通穴に挿通される途中で、くの字の部分が貫通穴の内縁に当接して、足１０６，１０７，１０８が自らの弾性によって貫通穴の内縁から離れる向きに容易に退避することができる。また、足１０６，１０７，１０８が貫通穴に挿通された後は、足１０６，１０７，１０８は自らの弾性によって復帰して、基板の裏側で貫通穴の内縁に接する状態になる。例えば図２（ａ）に示すように、足１０７，１０８の斜めになった部分１０９，１１０が、基板の裏側で貫通穴１１０，１１４の内縁１１５，１１６に接する状態になる（残りの足１０６も同様の状態になる。）。そして、足１０６，１０７，１０８に対して貫通穴の内縁から内向きに応力がかかる。これにより、ねじ留め作業や溶着作業等を行うことなくワンタッチで、光レセプタクル２０２が基板１１１に対して容易かつ確実に固定される。また、複数の箇所（足１０６，１０７，１０８）で光レセプタクル２０２を基板１１１に係止できるので、光レセプタクル２０２を基板１１１に対してより強固に固定することができる。この結果、光レセプタクル２０２のハウジングから突出するリードピン２０４を基板１１１に半田付けする際に、光レセプタクル２０２が基板１１１に対して位置ずれすることがない。したがって、リードピン２０４が基板１１１に対して容易に半田付けされる。したがって、上記基板１１１を用いた電子機器の組立作業が容易になる。
【００５１】
また、図２（ａ）に示したように、足１０７，１０８の斜めになった部分１０９，１１０が、基板の裏側で貫通穴１１０，１１４の内縁１１５，１１６に接する状態になっている（残りの足１０６も同様の状態になる。）。この「斜めになった部分」１０９，１１０は現実には１点ではなく有限の長さをもつ。したがって、基板の厚さが異なる場合であっても、図２（ｂ）に示すように、基板１１２の厚さに応じて貫通穴１１７，１１８の内縁１１９，１２０の位置を予め可変して設定しておくことで、足１０７，１０８を貫通穴１１７，１１８に挿通したとき、足１０７，１０８の斜めになった部分１０９，１１０（のうちの異なる点）が、基板１１２の裏側で貫通穴の内縁１１９，１２０に接するようにできる（残りの足１０６も同様の状態になる。）。
【００５２】
この例では、基板１１１よりも基板１１２の方が厚いので、それに応じて貫通穴の内縁１１９，１２０の位置を、「斜めになった部分」１０９，１１０から遠くなるようにシフトしている。例えば図２（ａ）に示す基板１１１の厚さが１．２ｍｍであり、図２（ｂ）に示す基板１１２の厚さが１．６ｍｍであった場合、それらの厚さ方向の差０．４ｍｍを「斜めになった部分」１０９，１１０の勾配に応じて横方向に換算して、貫通穴の内縁１１９，１２０の位置をシフトすれば良い。
【００５３】
これにより、基板の厚さが異なる場合であっても、光レセプタクル２０２が基板に対して容易かつ確実に固定される。このことは、複数の製品について、同一の固定用部材１００を用いて光レセプタクル２０２を基板に取り付けできることを意味する。したがって、各種電子機器の組立作業を全体として簡素化でき、コストダウンできる。
【００５４】
図４（ａ）は一実施形態の光レセプタクル固定用部材３００を正面から、つまり後述する光レセプタクルに光プラグ（光ファイバの端部）を挿入する側から見たところを示している。図４（ｂ）はその固定用部材３００を左側から見たところ、図４（ｃ）はその固定用部材３００を右側から見たところ、図４（ｄ）はその固定用部材３００を上側から見たところ、図４（ｅ）はその固定用部材３００を下側から見たところをそれぞれ示している。
【００５５】
この固定用部材３００は、上記光レセプタクルを保持するために、コの字状に折れ曲がった帯状の保持部３０１を備えている。保持部３０１のコの字状に折れ曲がった真ん中の空間３９０に光レセプタクルが入って保持される。
【００５６】
固定用部材３００の保持部３０１は、前方へ延びる２対４個の角状の突起３０２，３０３，３０４，３０５を含んでおり、これらの４個の突起３０２，３０３，３０４，３０５で光レセプタクルを強固に保持するようになっている。保持部３０１の下端に設けられた突起３０２，３０３の一部３０２ａ，３０３ａは突起方向と平行に内側に折れ曲がっているため、より強固に光レセプタクルを保持できるようになっている。また、突起３０２，３０３には、穴３０２ｂ，３０３ｂがあけられている。この穴３０２ｂ，３０３ｂは、光レセプタクルのハウジングから突出するリードピン（接続端子）を基板に半田付けする際に、半田の這い上がりを防止する働きをする。
【００５７】
この固定用部材３００には、突起３０２，３０３の先端から下方へ、基板に設けられた貫通穴（例えば図２（ａ）中に示す基板１１１の貫通穴１１３，１１４など）に挿入される足３０６，３０７が２本延びている。足３０６，３０７の先端部分は、それぞれ外向きにくの字状に折れ曲がった構造をしている。すなわち、足３０６，３０７は、全体として下方に延びているが、それぞれが途中で斜めに外向きに折れ曲がり、再び反対方向に斜めに折れ曲がっている。
【００５８】
この固定用部材３００は全体が、つまり保持部３０１（角状の突起３０２，３０３，３０４，３０５を含む。）および足３０６，３０７が弾性を示す金属板で一体に形成されている。したがって、この固定用部材３００は安価に作製される。
【００５９】
図５は、固定用部材３００の保持部３０１に光レセプタクル４０２が保持された状態を示している。図５（ａ）は固定用部材３００および光レセプタクル４０２を正面から、つまり光レセプタクル４０２に光プラグ（光ファイバの端部）を挿入する側から見たところを示している。図５（ｂ）は同図（ａ）のものを左側から見たところ、図５（ｃ）は同図（ｂ）のものをさらに左側から見たところ、図５（ｄ）は同図（ｂ）のものを上側から見たところをそれぞれ示している。
【００６０】
光レセプタクル４０２は複数の部材で成り立っており、光レセプタクル４０２の本体を覆う部材４０３が表に見えているため、固定用部材３００の突起部分３０４，３０５は表には見えていない。また、固定用部材３００の残りの突起部分３０２，３０３も少し隠された状態にある。光レセプタクルを覆う部材４０３とこれらの４個の突起３０２，３０３，３０４，３０５との係合によって、光レセプタクル４０２は固定用部材３００の保持部３０１にしっかりと保持されている。
【００６１】
光レセプタクル４０２にはそのハウジングから突出するリードピン（接続端子）４０４が３本見えている。このリードピン４０４は、基板に半田付けされるようになっている。
【００６２】
また、光レセプタクル４０２は、図５（ａ）に示す前面（正面）に開閉式のシャッタ４０５を持っている。光レセプタクル４０２に光プラグ（光ファイバの端部）を挿入するときには、光プラグによってこのシャッタ４０５が押し開らかれる。
【００６３】
この例では、固定用部材３００の２本の足３０６，３０７が基板の貫通穴に挿入されると、図から見て明らかなように、光ファイバケーブルの端部は基板面に対して平行に配置される（これを「ケーブル平行タイプ」と呼ぶ。）。このケーブル平行タイプの配置では、基板上に光ファイバケーブルが通るためのスペースを要しないという利点がある。
【００６４】
この固定用部材３００の保持部３０１に光レセプタクル４０２が保持された状態で、固定用部材３００の３本の足３０６，３０７が基板に形成された貫通穴に挿通される。これにより、先の固定用部材１００を用いた場合と同様の作用効果が得られる。すなわち、ねじ留め作業や溶着作業等を行うことなくワンタッチで、光レセプタクル４０２が基板に対して容易かつ確実に固定される。この結果、光レセプタクル４０２のハウジングから突出するリードピン４０４を基板に半田付けする際に、光レセプタクル４０２が基板に対して位置ずれすることがない。したがって、リードピン４０４が基板に対して容易に半田付けされる。したがって、上記基板を用いた電子機器の組立作業が容易になる。また、基板の厚さが異なる場合であっても、光レセプタクル４０２が基板に対して容易かつ確実に固定される。したがって、複数の製品について、同一の固定用部材３００を用いて光レセプタクル４０２を基板に取り付けできる。したがって、各種電子機器の組立作業を全体として簡素化でき、コストダウンできる。
【００６５】
図６（ａ）はさらに別の実施形態の光レセプタクル固定用部材５００を正面から、つまり光レセプタクルに光プラグ（光ファイバの端部）を挿入する側から見たところを示している。図６（ｂ）はその固定用部材５００を左側から見たところ、図６（ｃ）はその固定用部材５００を右側から見たところ、図６（ｄ）はその固定用部材５００を上側から見たところ、図６（ｅ）はその固定用部材５００を下側から見たところをそれぞれ示している。
【００６６】
この固定用部材５００は、ケーブル垂直タイプの配置を意図したものであり、基本的には図１に示した固定用部材１００と同様に構成されている。なお、図１中の符号と対応する要素にはそれぞれ４００だけ加えた符号を用いて、重複する説明を省略する。
【００６７】
この固定用部材５００が図１に示した固定用部材１００と異なっているのは、足５０６，５０７，５０８をなす板材の先端部分にスリットが形成され、その先端部分がスリットを介して横方向へ、つまりくの字の折れ線が延びる方向へ広がっている点である。例えば図６（ｆ）に拡大して示すように、足５０８をなす板材の先端部分にスリット５０８ｃが形成され、その先端部分５０８ａ，５０８ｂがスリット５０８ｃを介して横方向へ広がっている（残りの足５０６，５０７も同様になっている。）。
【００６８】
この固定用部材５００の保持部５０１に光レセプタクルが保持された状態で、固定用部材５００の３本の足５０６，５０７，５０８が基板に形成された貫通穴に挿通される。これにより、先の固定用部材１００を用いた場合と同様の作用効果が得られる。しかも、この固定用部材５００では、厚さが異なる基板に対して次のような作用効果が得られる。
【００６９】
例えば図７（ａ），（ｂ）は厚さが薄い１．２ｍｍの基板５１１の貫通穴５１３に足５０６が挿入された状態を示し、図７（ｃ），（ｄ）は厚さが厚い１．６ｍｍの基板５１２の貫通穴５１５に足５０６が挿入された状態を示している。貫通穴５１３は内縁５１４ａ，５１４ｂ，５１４ｃ，５１４ｄを有し、貫通穴５１５は内縁５１６ａ，５１６ｂ，５１６ｃ，５１６ｄを有している。図７（ａ），（ｃ）は足５０６をなす板材の面に沿った、くの字の折れ曲がりが明確にわかる方向から見た図であり、図７（ｂ），（ｄ）は足５０６をなす板材の面に垂直な方向から見た図である。
【００７０】
図７（ｂ）に示すように、厚さが薄いの基板５１１では、貫通穴５１３の内縁のうち対向する一対の内縁５１４ｃ，５１４ｄに足５０６の横方向へ（くの字の折れ線が延びる方向へ）広がって斜めになった部分５１０，５１０が接している。これにより、光レセプタクルが基板５１１に対してしっかりと固定される。
【００７１】
また、図７（ｃ）に示すように、厚さが厚い基板５１２では、貫通穴５１５の内縁５１６ａに足５０６の斜めになった部分５０９が接している。これにより、光レセプタクルが基板５１２に対してしっかりと固定される。
【００７２】
このように、この固定用部材５００によれば、各足５０６，５０７，５０８が有する互いに交差する方向へ斜めになった部分５１０，５０９を用いて、光レセプタクルを厚さが異なる基板５１１，５１２に対してそれぞれしっかりと固定することができる。
【００７３】
図８（ａ）はさらに別の実施形態の光レセプタクル固定用部材６００を正面から、つまり光レセプタクルに光プラグ（光ファイバの端部）を挿入する側から見たところを示している。図８（ｂ）はその固定用部材６００を左側から見たところ、図８（ｃ）はその固定用部材６００を右側から見たところ、図８（ｄ）はその固定用部材６００を上側から見たところ、図８（ｅ）はその固定用部材６００を下側から見たところをそれぞれ示している。
【００７４】
この固定用部材６００は、ケーブル平行タイプの配置を意図したものであり、基本的には図４に示した固定用部材３００と同様に構成されている。なお、図４中の符号と対応する要素にはそれぞれ３００だけ加えた符号を用いて、重複する説明を省略する。
【００７５】
この固定用部材６００が図４に示した固定用部材３００と異なっているのは、足６０６，６０７をなす板材の先端部分にスリットが形成され、その先端部分がスリットを介して横方向へ、つまりくの字の折れ線が延びる方向へ広がっている点である。例えば図８（ｆ）に拡大して示すように、足６０７をなす板材の先端部分にスリット６０７ｃが形成され、その先端部分６０７ａ，６０７ｂがスリット６０７ｃを介して横方向へ広がっている（残りの足６０６も同様になっている。）。
【００７６】
この固定用部材６００の保持部６０１に光レセプタクルが保持された状態で、固定用部材６００の２本の足６０６，６０７が基板に形成された貫通穴に挿通される。これにより、先の固定用部材３００を用いた場合と同様の作用効果が得られる。しかも、この固定用部材６００では、図６に示した固定用部材５００と同様に、各足６０６，６０７が有する互いに交差する方向へ斜めになった部分を用いて、光レセプタクルを厚さが異なる基板に対してそれぞれしっかりと固定することができる。
【００７７】
図９（ａ）はさらに別の実施形態の光レセプタクル固定用部材７００を正面から、つまり光レセプタクルに光プラグ（光ファイバの端部）を挿入する側から見たところを示している。図９（ｂ）はその固定用部材７００を左側から見たところ、図９（ｃ）はその固定用部材７００を右側から見たところ、図９（ｄ）はその固定用部材７００を上側から見たところ、図９（ｅ）はその固定用部材７００を下側から見たところをそれぞれ示している。
【００７８】
この固定用部材７００は、ケーブル垂直タイプの配置を意図したものであり、基本的には図１に示した固定用部材１００と同様に構成されている。なお、図１中の符号と対応する要素にはそれぞれ６００だけ加えた符号を用いて、重複する説明を省略する。
【００７９】
この固定用部材７００が図１に示した固定用部材１００と異なっているのは、足７０６，７０７，７０８をなす板材の先端部分にスリットが形成され、その先端部分はスリットを介して互いに逆方向にくの字状に折れ曲がっている点である。
【００８０】
この固定用部材７００の保持部７０１に光レセプタクルが保持された状態で、固定用部材７００の３本の足７０６，７０７，７０８が基板に形成された貫通穴に挿通される。これにより、先の固定用部材１００を用いた場合と同様の作用効果が得られる。しかも、この固定用部材７００では、厚さが異なる基板に対して次のような作用効果が得られる。
【００８１】
例えば図１０（ａ）では、基板７１１の貫通穴７１３，７１４にそれぞれ足７０７，７０８が挿入されて、足７０７，７０８の斜めになった部分７０９ａ，７０９ｂ，７０９ｃ，７０９ｄが、基板７１１の裏側で貫通穴７１３，７１４の対向する各二つの内縁７１５ａ，７１５ｂ；７１６ａ，７１６ｂに接する状態になっている（残りの足７０６も同様の状態になる。）。この「斜めになった部分」７０９ａ，７０９ｂ，７０９ｃ，７０９ｄは現実には１点ではなく有限の長さをもつ。したがって、基板の厚さが異なる場合であっても、図１０（ｂ）に示すように、基板７１２の厚さに応じて貫通穴７１７，７１８の内縁７１９ａ，７１９ｂ；７２０ａ，７２０ｂの位置を予め可変して設定しておくことで、足７０７，７０８の斜めになった部分７０９ａ，７０９ｂ，７０９ｃ，７０９ｄ（のうちの異なる点）が、基板７１２の裏側で貫通穴の対向する各二つの内縁７１９ａ，７１９ｂ；７２０ａ，７２０ｂに接するようにできる（残りの足７０６も同様の状態になる。）。したがって、光レセプタクルが基板に対して強固に固定される。
【００８２】
この例では、基板７１１よりも基板７１２の方が厚いので、それに応じて貫通穴の対向する各二つの内縁７１９ａ，７１９ｂ；７２０ａ，７２０ｂの位置を、「斜めになった部分」７０９ａ，７０９ｂ，７０９ｃ，７０９ｄから遠くなるようにシフトしている。例えば図２（ａ）に示す基板７１１の厚さが１．２ｍｍであり、図２（ｂ）に示す基板７１２の厚さが１．６ｍｍであった場合、それらの厚さ方向の差０．４ｍｍを「斜めになった部分」７０９ａ，７０９ｂ，７０９ｃ，７０９ｄの勾配に応じて横方向に換算して、貫通穴の内縁７１９，１２０の位置をシフトすれば良い。
【００８３】
これにより、基板の厚さが異なる場合であっても、光レセプタクルが基板に対して容易かつ確実に固定される。このことは、複数の製品について、同一の固定用部材７００を用いて光レセプタクルを基板に取り付けできることを意味する。したがって、各種電子機器の組立作業を全体として簡素化でき、コストダウンできる。
【００８４】
なお、以上の実施形態では、固定用部材の足が２本又は３本の場合について説明したが、当然ながら、必要に応じて足の数は変えてよい。
【００８５】
また、基板の厚さは１．２ｍｍと１．６ｍｍの二つの場合について説明したが、当然ながら、この発明は様々な基板の厚さに適合できる。
【００８６】
また、以上に説明した光レセプタクル固定用部材を用いて光レセプタクルを基板に取り付けたもの（光レセプタクル取付構造）は、各種電子機器に好適に適用される。その場合、組立時に、光レセプタクル固定用部材を用いて光レセプタクルが基板に対して容易かつ確実に固定されるので、光レセプタクルのハウジングから突出するリードピンが基板に対して容易に半田付けされる。したがって、この電子機器は容易に組み立てられる。
【図面の簡単な説明】
【００８７】
【図１】この発明の一実施形態の光レセプタクル固定用部材の構成を示す図である。
【図２】図１の光レセプタクル固定用部材の機能を説明する図である。
【図３】図１の固定用部材を光レセプタクルに取り付けた状態を示す図である。
【図４】この発明の別の実施形態の光レセプタクル固定用部材の構成を示す図である。
【図５】図４の固定用部材を光レセプタクルに取り付けた状態を示す図である。
【図６】この発明のさらに別の実施形態の光レセプタクル固定用部材の構成を示す図である。
【図７】図６の光レセプタクル固定用部材の機能を説明する図である。
【図８】この発明のさらに別の実施形態の光レセプタクル固定用部材の構成を示す図である。
【図９】この発明のさらに別の実施形態の光レセプタクル固定用部材の構成を示す図である。
【図１０】図９の光レセプタクル固定用部材の機能を説明する図である。
【符号の説明】
【００８８】
１００，３００，５００，６００，７００  光レセプタクル固定用部材
１１１，１１２，５１１，５１２，７１１，７１２  基板
２０２，４０２  光レセプタクル
【図１】
2005031566.tif 000003
【図２】
2005031566.tif 000004
【図３】
2005031566.tif 000005
【図４】
2005031566.tif 000006
【図５】
2005031566.tif 000007
【図６】
2005031566.tif 000008
【図７】
2005031566.tif 000009
【図８】
2005031566.tif 000010
【図９】
2005031566.tif 000011
【図１０】
2005031566.tif 000012